(57)【要約】【課題】  コンピューターのキーボード操作時や事務作業中に、筆記具をすぐ使えるよう手の近くに用意しておくための、筆記具の保持具を提供する。【解決手段】  手のひら側に付ける保持部に指掛け部を設け、手のひらに保持部を装着できるようにし、保持部と筆記具を支点で接続し、筆記具を任意に動かせるようにすることにより、筆記具を手につけたまま作業できることを特徴とする。【選択図】      図１
2007106092.tif 000002
【特許請求の範囲】
【請求項１】
手のひら側の保持部（１）に指掛け部（２）を設け、保持部（１）と筆記具（３）を支点Ａ（４）で接続した、手に付ける筆記具の保持具。
【請求項２】
保持部（１）と指掛け部（２）の間に弾力材をかませ、保持部（１）を手の甲側に引き付けるようにしたことを特徴とする請求項１記載の手に付ける筆記具の保持具。
【請求項３】
指掛け部（２）の押さえ材（１１）と支持材（１２）の間に支点Ｂ（５）を設け、押さえ材（１１）が指の動きに合わせて動くようにしたことを特徴とする請求項１記載の手に付ける筆記具の保持具。
【発明の詳細な説明】
【技術分野】
【０００１】  この発明は、コンピュータのキーボード操作時や事務作業時に筆記具を手の近くに保持しておくための手に付ける筆記具に関する物である。
【背景技術】
【０００２】  従来、コンピュータのキーボードを操作しながら書類に文字を記入するには、筆記具を持ち書いている状態から、一度手放しキーボードを操作し、再度筆記具を持ち書く行為を繰り返さねばならならなかった。
筆記具を持ちながらキーボードを両手で操作する人もいたが、ほとんどの人はキーボードと筆記具を手放して持ち替えながら使っていた。また片手でキーボードを操作し、もう片方の手で筆記具を使うこともできたが、作業速度は遅くなるし、楽ではなかった。【０００３】  指先に小さな筆記具を付ければ手放さなくとも作業できるが、筆記具の柄が手の甲に当たらないため、指先だけで支えなければならず、不安定となり書きにくかった。（たとえば）特許文献１と２【０００４】
【特許文献１】  特許公開平１１−２４５５８２号広報（段落０００７、第４図）
【特許文献２】  特許公開２００１−３１５４８６号広報（段落０００７、第１図）
【発明の開示】
【発明が解決しようとする課題】
【０００５】  上記に述べたように、次のような課題があった。
▲１▼  何度も筆記具を持ち直すことは煩わしく苦痛であったし、能率も悪かった。
▲２▼  筆記具を持ちながらキーボードを操作することは熟練を要し、簡単にはできなかった。
▲３▼  指先に付ける小さな筆記具は普通の筆記具より書きにくかった。【０００６】  本発明は、これらの欠点を解決するためになされたもので、筆記具を持ちながら作業することを目的とする。
【課題を解決するための手段】
【０００７】本発明は課題を解決するための手段として、手のひらの保持部（１）に指掛け部（２）を設けて保持部（１）を手のひらに装着できるようにし、また保持部（１）と筆記具（３）を支点（４）で接続して筆記具（３）を動かせるようにした手に付ける筆記具の保持具。【０００８】保持部（１）と指掛け部（２）の間に弾力材をかませ、保持部（１）を手の甲側に引き付けるようにした手に付ける筆記具の保持具。【０００９】  指掛け部（２）の押さえ部（１１）と引材（１２）の間に支点を設け、押さえ部（１１）が指の動きに合わせて動くようにした  手に付ける筆記具の保持具。
本発明は、上記の構成からなる筆記具の保持具であり、上記課題を解決したものである。
【発明の効果】
【００１０】  ペンなどの筆記具は指を使用して持つが、本発明においては指でつかんで持たなくても保持できる。このとき手のひらには本発明筆記具が付くが指は自由であるから、キーボードやマウス操作や書類を扱うことは可能である。【００１１】  手のひらに保持部（１）と筆記具（３）が付いた状態は見た目ほど気にならないし、キーボード操作や書類を扱う時も邪魔になりにくい。【００１２】  筆記具を収納状態から指に持ち使用するには親指だけの操作でできる。またペン使用状態から収納状態への操作も親指だけの操作でできるから、素早く快く作業することができる。【００１３】  筆記具を持ったまま両手で書類を扱うことは誰でもできるが、キーボードを操作できる人はほとんどいない。扱う人の器用性と訓練がなければ難しい。しかし本発明ペンは誰でもペンを手に保持したままキーボードを扱うことができるし、訓練する必要も無くすぐに使える。【００１４】  筆記具を持ちもう片方でキーボードを操作すれば、利き手でない方の手でキーボードのキー全部を操作しなければならない。利き手でない手で多様な作業をすることは、時間がかかるしわずらわしい。しかし本発明ペン保持具を使用すれば煩わしさから開放されるし作業が簡単になる分能率も上がる。
【発明を実施するための最良の形態】
【００１５】  以下、本発明の実施の形態について説明する。
適当な長さと幅を持つ保持部（１）に適当な長さと幅を持つ指掛け部（２）を設ける。
保持部（１）と筆記具（３）を支点（４）で接合し、筆記具（３）を動かすことができるようにする。
本発明は以上のような構造でこれを使用するときは、図１と図２で示されるように、保持部（１）を手のひら側に置き、指架け部（２）で保持部（１）を手の甲側に引き付ける。そうして保持部（１）を手の平に固定する。また保持部（１）の支点（４）が筆記具（３）を可動状態で保持する。
ペンを使用する時は親指で筆記具（３）を押し出し、筆記具を可動状態にして、指でつかみ使用する。使わない時は親指でペン（３）を保持部（１）に沿わせペン収納状態にする。【００１６】  指架け部（２）（６）と保持部（１）が引き合う部分に弾性材（１０）をかませると操作しやすくなるし外れにくくなる。また大きさの異なる指にも対応できる。（図４）【００１７】  Ｔ字型指掛け部（２）と保持部（１）は指をうごかせばすぐ外れてしまうように見えるが、逆に指の付け根に収まり外れない。指に力を入れない普通の状態なら指が曲がっているので外れない。外そうとするなら指を真っ直ぐに伸ばし開かなければならず、外そうと意識しなければ外れない。【００１８】  指掛け部（２）は図５で示されるように、Ｔ字型の外にもリング型、Ｕ字型、Ｌ字型指掛け部（６）など指に引っ掛かれば製作可能でいろいろな形を作ることができる。【００１９】  Ｔ字型指掛け部（６）の指押さえ材（１１）との接点を支点（５）でピン接合すると、指押さえ材（１１）は常に２本の指の動きに沿って動き支持材（１２）の移動範囲は小さくなり使いやすくなる。【００２０】  筆記具を収納状態（１４）から筆記具を使用状態（１３）に操作する場合、筆記具の回転に弾性材とストッパーをかませれば、ストッパー解除のワンタッチで筆記具を可動状態にすることができる。【００２１】  上記に加え、筆記具（３）は消しゴムや定規などの文房具ドライバーピンセットなどの工具や入力装置メガホンや電話機などに替えても、同じように機能する。
【産業上の利用の可能性】
【００２２】上記の発明は、筆記具の保持具および筆記具として利用可能であり、便利である。
【図面の簡単な説明】
【図１】  本発明  請求項１の正面図
【図２】  本発明  請求項１の側面図  ？
【図３】  本発明  請求項１のＡ−Ａ′断面図
【図４】  本発明  請求項２のＡ−Ａ′断面図
【図５】  本発明  請求項３のＡ−Ａ′断面図
【図６】  本発明  全体透視図
【符号の説明】
（１）    固定材
（２）    指掛け材
（３）    筆記具
（４）    支点Ａ
（５）    支点Ｂ
（６）    Ｌ字型指掛け材
（７）    手のひら
（８）    親指
（９）    小指
（１０）  弾性材
（１１）  押さえ材
（１２）  支持材
（１３）  使用状態
（１４）  収納状態
【図１】
2007106092.tif 000003
【図２】
2007106092.tif 000004
【図３】
2007106092.tif 000005
【図４】
2007106092.tif 000006
【図５】
2007106092.tif 000007
【図６】
2007106092.tif 000008